(57)【要約】【課題】レンズ群の移動方式、第１レンズ群の工夫等により、携帯時でのズームレンズ全長を抑えながら、変倍比の確保、光学性能の確保にも有利なズームレンズ。【解決手段】正の第１レンズ群Ｇ１と、負の第２レンズ群Ｇ２と、正の第３レンズ群Ｇ３とからなり、第２レンズ群Ｇ２と第３レンズ群Ｇ３との間に配置された開口絞りＳを有し、広角端から望遠端への変倍の際に、第１レンズ群Ｇ１は一体で移動し、第２レンズ群Ｇ２は一体で移動し、広角端に対して望遠端にて、第１レンズ群Ｇ１及び第２レンズ群Ｇ２は物体側に位置し、第１レンズ群Ｇ１と第２レンズ群Ｇ２の間の間隔は広がり、第２レンズ群Ｇ２と第３レンズ群Ｇ３との間隔は狭まり、第１レンズ群Ｇ１のパワー及び移動量に関する条件式（１）、（２）満足するズームレンズ。【選択図】図１
2008070410.tif 000002
【特許請求の範囲】
【請求項１】
物体側より順に、正の屈折力を有する第１レンズ群と、負の屈折力を有する第２レンズ群と、正の屈折力を有する第３レンズ群とからなり、前記第２レンズ群と前記第３レンズ群との間に配置された開口絞りを有し、広角端から望遠端への変倍の際に、前記第１レンズ群は一体で移動し、前記第２レンズ群は一体で移動し、前記広角端に対して前記望遠端にて、前記第１レンズ群及び前記第２レンズ群は物体側に位置し、前記第１レンズ群と前記第２レンズ群の間の間隔は広がり、前記第２レンズ群と前記第３レンズ群との間隔は狭まり、以下の条件式を満足することを特徴とするズームレンズ。
０．７＜ｆ1 ／ｆt ＜１．２                                    ・・・（１）
０．３＜ｍ1 ／ｆt ＜０．４５                                  ・・・（２）
ただし、ｆ1 は第１レンズ群の焦点距離、
ｆt は望遠端でのズームレンズ全系の焦点距離、
ｍ1 は広角端と望遠端での第１レンズ群の位置の差であり、物体側への移動が正符号、
である。
【請求項２】
以下の条件式を満足することを特徴とする請求項１記載のズームレンズ。
０．７＜ｆ1 ／ｆt ＜０．９２                              ・・・（１−１）
【請求項３】
広角端における、前記第１レンズ群と前記第２レンズ群との合成系が負の屈折力を持つことを特徴とする請求項１又は２記載のズームレンズ。
【請求項４】
前記第１レンズ群が、負レンズと正レンズの２枚のレンズで構成され、前記正レンズの負レンズ側の面が凸面であり、前記負レンズの正レンズ側の面が凹面であり、以下の条件式を満足することを特徴とする請求項１から３の何れか１項記載のズームレンズ。
Δｎ1 ＞０．０５                                              ・・・（３）
Δν1 ＞２０                                                  ・・・（４）
ただし、Δｎ1 は第１レンズ群の負レンズの屈折率から正レンズの屈折率を引いた差の値、
Δν1 は第１レンズ群の正レンズのアッベ数から負レンズのアッベ数を引いた差の値、
である。
【請求項５】
前記第１レンズ群は、物体側より順に、正レンズ、負レンズにて構成された接合レンズにて構成され、以下の条件式を満足することを特徴とする請求項１から３の何れか１項記載のズームレンズ。
０．０５＜Δｎ1 ＜０．２５                                    ・・・（５）
ただし、Δｎ1 は第１レンズ群の負レンズの屈折率から正レンズの屈折率を引いた差の値、
である。
【請求項６】
以下の条件式を満足することを特徴とする請求項１から５の何れか１項記載のズームレンズ。
０＜ｍ2 ／ｆt ＜０．１                                        ・・・（６）
ただし、ｍ2 は広角端と望遠端での第２レンズ群の位置の差であり、物体側への移動が正符号、
である。
【請求項７】
広角端から望遠端への変倍の際に、前記第３レンズ群は一体で移動し、前記広角端に対して前記望遠端にて、前記第３レンズ群は物体側に位置することを特徴とする請求項１から６の何れか１項記載のズームレンズ。
【請求項８】
以下の条件式を満足することを特徴とする請求項７記載のズームレンズ。
１．５×ｍ2 ＜ｍ3 ＜０．６×ｍ1                               ・・・（７）
ただし、ｍ2 は広角端と望遠端での第２レンズ群の位置の差であり、物体側への移動が正符号、
ｍ3 は広角端と望遠端での第３レンズ群の位置の差であり、物体側への移動が正符号、
である。
【請求項９】
前記第２レンズ群は、物体側より順に、物体側に凸面を向けた負メニスカスレンズと、負レンズと正レンズの接合レンズと、負レンズとからなることを特徴とする請求項１から８の何れか１項記載のズームレンズ。
【請求項１０】
以下の条件式を満足することを特徴とする請求項９記載のズームレンズ。
０．３＜ｒ2Gf ／ｄt1＜２                                      ・・・（８）
ただし、ｒ2Gf は第２レンズ群中の最も物体側のレンズ面の近軸曲率半径、
ｄt1は望遠端における第１レンズ群と第２レンズ群との間の軸上間隔、
である。
【請求項１１】
以下の条件式を満足することを特徴とする請求項１０記載のズームレンズ。
０．５＜ｒ2Gf ／ｄt1＜１                                  ・・・（８−１）
【請求項１２】
前記第３レンズ群は、物体側より順に、正の屈折力を持つ前群と、正又は負の屈折力を持つ後群とからなり、前記前群は２枚の正レンズと１枚の負レンズとからなり、以下の条件式を満足することを特徴とする請求項１から１１の何れか１項記載のズームレンズ。
７７＜νpmax＜９０                                            ・・・（９）
６３＜νpmin＜８０                                          ・・・（１０）
ただし、νpmaxは第３レンズ群前群中の２枚の正レンズの何れか一方の正レンズのアッベ数、
νpminは第３レンズ群前群中の２枚の正レンズの一方の正レンズとは異なる正レンズのアッベ数、
である。
【請求項１３】
前記第３レンズ群は、物体側より順に、正の屈折力を持つ前群と、正又は負の屈折力を持つ後群とからなり、以下の条件式を満足することを特徴とする請求項１から１２の何れか１項記載のズームレンズ。
０．０５＜ｄ3w／ｆt ＜０．２                                ・・・（１１）
−０．７＜ｆt ／ｆ3r＜０．７                                ・・・（１２）
ただし、ｄ3wは広角端における第３レンズ群の前群と後群との間の軸上間隔、
ｆ3rは第３レンズ群の後群の焦点距離、
である。
【請求項１４】
以下の条件式を満足することを特徴とする請求項１３記載のズームレンズ。
０．１＜｜ｆt ／ｆ3r｜                                    ・・・（１２Ａ）
【請求項１５】
以下の条件式を満足することを特徴とする請求項１３記載のズームレンズ。
０＜ｆt ／ｆ3r＜０．１３                                ・・・（１２−１）
【請求項１６】
遠距離物から近距離物への合焦動作を、前記第２レンズ群の移動により行うことを特徴とする請求項１から１５の何れか１項記載のズームレンズ。
【請求項１７】
広角端の全画角が２５°から３５°で変倍比が３倍から５倍であることを特徴とする請求項１から１６の何れか１項記載のズームレンズ。
【発明の詳細な説明】
【技術分野】
【０００１】
本発明は、ズームレンズに関し、特に、広角端の全画角が２５°から３５°で変倍比が３倍から５倍の、中望遠域をカバーするズームレンズに関するものである。
【０００２】
特に、一眼レフカメラ用交換レンズに好適なズームレンズに関するものである。
【背景技術】
【０００３】
従来、一眼レフカメラ用交換レンズに好適な中望遠域をカバーするズームレンズとして、特許文献１に記載したズームレンズが知られている。このズームレンズは、物体側から順に、正の屈折力の第１レンズ群、負の屈折力の第２レンズ群、正の屈折力の第３レンズ群で構成され、第１、第２レンズ群に挟まれる軸上間隔、第２、第３レンズ群に挟まれる軸上間隔を変化させて広角端から望遠端への変倍を行うものである。そして、広角端時にてズームレンズの全長が小さくなるような移動方式としたものである。
【特許文献１】特開昭６２−９３１１号公報
【発明の開示】
【発明が解決しようとする課題】
【０００４】
しかしながら、このズームレンズは、望遠側にて第２レンズ群と第３レンズ群が干渉しやすい、第１レンズ群の屈折力（パワー）が強く、第２レンズ群との間の間隔変化における収差変動を抑え難い、第１レンズ群が厚い等、小型化、高変倍比化に不利な点がある。
【０００５】
本発明は従来技術のこのような課題に鑑みてなされたものであり、その目的は、レンズ群の移動方式、第１レンズ群の工夫等により、携帯時でのズームレンズ全長を抑えながら、変倍比の確保、光学性能の確保にも有利なズームレンズを提供することである。
【０００６】
さらには、各レンズ群の工夫等により、光学性能も良好にしやすい、小型化、高変倍比化等何れかに有利なズームレンズを提供することを目的としている。
【課題を解決するための手段】
【０００７】
上記目的を達成する本発明のズームレンズは、物体側より順に、正の屈折力を有する第１レンズ群と、負の屈折力を有する第２レンズ群と、正の屈折力を有する第３レンズ群とからなり、前記第２レンズ群と前記第３レンズ群との間に配置された開口絞りを有し、広角端から望遠端への変倍の際に、前記第１レンズ群は一体で移動し、前記第２レンズ群は一体で移動し、前記広角端に対して前記望遠端にて、前記第１レンズ群及び前記第２レンズ群は物体側に位置し、前記第１レンズ群と前記第２レンズ群の間の間隔は広がり、前記第２レンズ群と前記第３レンズ群との間隔は狭まり、以下の条件式を満足することを特徴とするものである。
【０００８】
０．７＜ｆ1 ／ｆt ＜１．２                                    ・・・（１）
０．３＜ｍ1 ／ｆt ＜０．４５                                  ・・・（２）
ただし、ｆ1 は第１レンズ群の焦点距離、
ｆt は望遠端でのズームレンズ全系の焦点距離、
ｍ1 は広角端と望遠端での第１レンズ群の位置の差であり、物体側への移動が正符号、
である。
【０００９】
以下に、本発明において上記構成をとる理由と作用を説明する。
【００１０】
ズームレンズの広角端近辺の状態で小型化を図ることで、カメラの携帯性を高めることができる。このような観点から、広角端から望遠端への変倍の際に、第１レンズ群は一体で移動し、第２レンズ群は一体で移動し、広角端に対して前記望遠端にて、第１レンズ群は物体側に位置し、第１レンズ群と第２レンズ群の間の間隔は広がり、第２レンズ群と第３レンズ群との間隔は狭まる構成している。
【００１１】
このようにすることで、変倍比の確保を行いやすくすると共に、広角端近辺にてズームレンズ全長を短くすることができる。
【００１２】
このとき、開口絞りを第２レンズ群と第３レンズ群との間に配置することで、絞りよりも物体側にパワーの符号の異なる２つのレンズ群が配置されることになり、収差バランス上有利となる。また、各レンズ群の径のサイズのバランスがとりやすく、また、射出瞳を像面から離しやすくなり、この点でも好ましい。
【００１３】
また、広角端に対して望遠端にて、第２レンズ群が物体側に位置することで、第３レンズ群の移動量の確保に有利となり、広角端付近での全長を抑えなが変倍比を確保することに有利となる。
【００１４】
このような移動方式を採用しつつ、変倍比の確保や収差バランスをより良好とするために、第１レンズ群のパワーと移動量を適度に調整することが好ましい。
【００１５】
第１レンズ群については、パワーを適度に弱くすることが効果的である。また、第１レンズ群の正パワーを弱くすると、第１レンズ群での収差発生量が抑えられ、第１レンズ群の厚さを抑えることにも有利となる。
【００１６】
一方、第１レンズ群の正パワーを弱くしすぎると、第１レンズ群と第２レンズ群の間隔の変化による変倍作用が小さくなってくる。
【００１７】
条件式（１）、（２）は、このような観点から、第１レンズ群のパワー及び移動量を規定したものである。
【００１８】
条件式（１）の下限値の０．７を下回ると、第１レンズの焦点距離が短く（パワーが強く）なり、収差が出やすくなる。収差を抑えるためには第１レンズ群の軸上の厚みが大きくなりやすくなり、広角端付近の全長を短くし難くなる。
【００１９】
一方、条件式（１）の上限の１．２を上回ると、第１レンズ群の焦点距離が長く（パワーが弱く）なり、第１、第２レンズ群の間隔変化による変倍作用を十分に持たせ難くなる。
【００２０】
条件式（２）は、条件式（１）と同時に満足することが好ましい。その下限の０．３を下回ると、第１レンズ群の移動量が小さくなり、広角端付近の全長を短くしかつ変倍比を確保しようとすると、第２レンズ群の負パワーが強くなりすぎ、収差補正上好ましくない。
【００２１】
条件式（２）の上限の０．４５を上回ると、広角端から望遠端の全長の変化量が大きくなりやすくなる。そのため、第１レンズ群を薄型化しても、使用時の重量バランスの変化が大きくなり、使い勝手が低下しやすくなる。
【００２２】
さらに、条件式（１）の上限値を限定し、以下の条件式を満足することがより好ましい。
【００２３】
０．７＜ｆ1 ／ｆt ＜０．９２                              ・・・（１−１）
この条件式（１−１）を満足することで、全長の変化をより抑えやすくなる。
【００２４】
条件式（１）若しくは（１−１）の下限値を０．８とし、第１レンズ群での収差発生をより抑えることが好ましい。
【００２５】
条件式（２）の下限値を０．３４としてもよい。
【００２６】
条件式（２）の上限値を０．４０としてもよい。
【００２７】
また、広角端における、第１レンズ群と第２レンズ群との合成系が負の屈折力を持つようにすることがより好ましい。
【００２８】
銀塩フィルムを使った一眼レフカメラや、撮像素子にＣＣＤやＣＭＯＳ等の電子撮像素子を用いた一眼レフカメラに本発明のズームレンズを用いる場合、バックフォーカスを確保し、クイックリターンミラー等を配置できるスペースを確保する必要がある。また、電子撮像素子を用いる一眼レフカメラに用いる場合は、赤外カットフィルターやローパスフィルターの配置スペース、さらには、防塵等のフィルター等を配置する場合もあり、撮像画面の大きさに対して撮影光学系と撮像画面の間隔を大きくしなければならないという要請もある。
【００２９】
そのため、上述の構成として、明るさ絞りの前側を負パワー、明るさ絞りの後側を正パワーとしてレトロフォーカスタイプの構成とすることで、これらの光学素子が配置できるバックフォーカスの確保に有利となる。
【００３０】
また、第１レンズ群を、負レンズと正レンズの２枚のレンズで構成し、その正レンズの負レンズ側の面を凸面、負レンズの正レンズ側の面を凹面とし、以下の条件式を満足させることが好ましい。
【００３１】
Δｎ1 ＞０．０５                                              ・・・（３）
Δν1 ＞２０                                                  ・・・（４）
ただし、Δｎ1 は第１レンズ群の負レンズの屈折率から正レンズの屈折率を引いた差の値、
Δν1 は第１レンズ群の正レンズのアッベ数から負レンズのアッベ数を引いた差の値、
である。
【００３２】
上述の構成とすることで、第１レンズ群の小型化、薄型化に有利となる。また、それぞれのレンズの屈折率差、アッベ数差を確保して上述の各条件式を満足することで、色収差の補正に有利となる。
【００３３】
また、第１レンズ群を、物体側より順に、正レンズ、負レンズにて構成した接合レンズにて構成し、以下の条件式を満足することがより好ましい。
【００３４】
０．０５＜Δｎ1 ＜０．２５                                    ・・・（５）
ただし、Δｎ1 は第１レンズ群の負レンズの屈折率から正レンズの屈折率を引いた差の値、
である。
【００３５】
第１レンズ群における色収差の補正ができるように、正レンズと負レンズで構成する。さらに、特に広角端での正の歪曲収差を補正するために、レンズの配置を正レンズ、負レンズとすることが好ましい。また、これらレンズを接合し接合レンズとすると、鏡枠の保持やフレアーゴーストの低減に有利となる。さらに、条件式（５）を満足することが好ましい。
【００３６】
条件式（５）の下限の０．０５を下回らないようにすることで、正レンズと負レンズの接合面での歪曲収差補正能力の確保に有利となる。条件式（５）の上限の０．２５を上回らないようにすることで、正レンズの屈折率を確保しやすくなり、球面収差やコマ収差のバランスをとった設計が行いやすくなる。
【００３７】
この条件式（５）の下限値を０．１とすることがより好ましい。さらには、０．２とすることがより好ましい。
【００３８】
また、第２レンズ群の移動方式について、以下の条件式を満足することがより好ましい。
【００３９】
０＜ｍ2 ／ｆt ＜０．１                                        ・・・（６）
ただし、ｍ2 は広角端と望遠端での第２レンズ群の位置の差であり、物体側への移動が正符号、
である。
【００４０】
条件式（６）の下限の０を下回らないようにすることで、変倍時の収差変動を抑えつつ、第３レンズ群の移動量の確保に有利となり、変倍比の確保に有利となる。
【００４１】
一方、条件式（６）の上限の０．１を上回らないようにして第２レンズ群の物体側への移動量を適度に抑えることで、結果的に広角端と望遠端のレンズ全長の変化を抑えやすくなり、鏡枠構造や使用時のバランスを良好とすることに有利となる。
【００４２】
この条件式（６）の下限値を０．０１、さらには、０．０５とするとより好ましい。
【００４３】
また、その上限値を０．０９、さらには、０．０８とするとより好ましい。
【００４４】
また、広角端から望遠端への変倍の際に、第３レンズ群は一体で移動し、広角端に対して望遠端にて、第３レンズ群は物体側に位置させることがより好ましい。
【００４５】
第３レンズ群中に可変間隔を有する場合に比べ、第３レンズ群を一体で移動させることで鏡枠構造が簡易になり  軽量化小型化が図れる。また、組み立て精度の確保が容易となり、光学性能の確保に有利となる。
【００４６】
さらには、以下の条件式を満足することがより好ましい。
【００４７】
１．５×ｍ2 ＜ｍ3 ＜０．６×ｍ1                               ・・・（７）
ただし、ｍ2 は広角端と望遠端での第２レンズ群の位置の差であり、物体側への移動が正符号、
ｍ3 は広角端と望遠端での第３レンズ群の位置の差であり、物体側への移動が正符号、
である。
【００４８】
条件式（７）の下限の１．５×ｍ2 を下回らないようにすることで、第２レンズ群の移動量に対する第３レンズ群の移動量を確保し、変倍効果を確保しやすくなる。
【００４９】
条件式（７）の上限の０．６×ｍ1 を上回らないようにすることで、第１レンズ群の移動量に対する第３レンズ群の移動量を適度に抑えて、第１レンズ群の移動による第２レンズ群の変倍負担を確保しつつ、第３レンズ群の移動量を適度に抑え、鏡枠構造の複雑化を防ぐと共に、重量バランスの変化を抑えやすくなる。
【００５０】
条件式（７）の下限値を２．０×ｍ2 とすることがより好ましい。
【００５１】
また、第２レンズ群を、物体側より順に、物体側に凸面を向けた負メニスカスレンズと、負レンズと正レンズの接合レンズと、負レンズとで構成することがより好ましい。
【００５２】
第２レンズ郡中の像側寄りのレンズ構成を、負レンズと正レンズを接合した接合レンズと負レンズとすることで、第２レンズ群の主たるパワーの確保と収差の補正を行いやすく構成できる。
【００５３】
この構成に加えて、第２レンズ群中の物体側寄りの位置に、物体側に凸面を向けた負のメニスカスレンズを配置することで、前述の接合レンズと負レンズへの光線の入射角度を微少に調整し、第２レンズ群での偏心感度を緩和させる機能を持たせられる。
【００５４】
また、第１レンズ群の構成を正レンズと負レンズのみで構成した場合であっても、第１レンズ群寄りにメニスカスレンズが配置されることで、広角端付近での軸外収差の補正に有利となる。
【００５５】
第１レンズ群は、光線の入射高が大きいため、レンズの径も大きくなりやすく、かつ、変倍時の移動量も大きい。そのため、第２レンズ群の構成を上述の構成とし、第１レンズ群を少ないレンズ枚数で構成できることは、ズームレンズ全体の小型化に有利となる。
【００５６】
さらには、以下の条件式を満足することがより好ましい。
【００５７】
０．３＜ｒ2Gf ／ｄt1＜２                                      ・・・（８）
ただし、ｒ2Gf は第２レンズ群中の最も物体側のレンズ面の近軸曲率半径、
ｄt1は望遠端における第１レンズ群と第２レンズ群との間の軸上間隔、
である。
【００５８】
条件式（８）は、第２レンズ群中の物体側のレンズの物体側面と、望遠端での第１、第２レンズ群間隔について規定するものである。
【００５９】
条件式（８）の下限の０．３を下回らないようにすることで、第２レンズ群の物体側面の曲率を適度に抑え、この面での望遠端での光線の屈折量を抑えることが、収差補正上好ましい。上限の２を上回らないようにして、この面の曲率を適度に確保し軸外光線の屈折量を適度に抑えることが、軸外収差の補正上好ましい。
【００６０】
条件式（６）の下限値を０．３とすることがより好ましい。
【００６１】
条件式（６）の上限値を１とすることがより好ましい。
【００６２】
条件式（６）の下限値、上限値を共に限定して、以下の条件式を満足することがより好ましい。
【００６３】
０．５＜ｒ2Gf ／ｄt1＜１                                  ・・・（８−１）
収差補正により効果的である。
【００６４】
また、第３レンズ群を、物体側より順に、正の屈折力を持つ前群と、正又は負の屈折力を持つ後群とで構成し、前群を２枚の正レンズと１枚の負レンズとで構成し、以下の条件式を満足することがより好ましい
７７＜νpmax＜９０                                            ・・・（９）
６３＜νpmin＜８０                                          ・・・（１０）
ただし、νpmaxは第３レンズ群前群中の２枚の正レンズの何れか一方の正レンズのアッベ数、
νpminは第３レンズ群前群中の２枚の正レンズの一方の正レンズとは異なる正レンズのアッベ数、
である。
【００６５】
第３レンズ群の前群は開口絞りに近く、この前群に正の屈折力を持たせて結像性能を確保することが、変倍時の収差変動を抑える上で好ましい。このとき、前群のパワーが強くなりやすいので、この前群での収差補正を行いやすくするため、正レンズ２枚と負レンズ１枚の構成とすることが好ましい。
【００６６】
このとき、絞り近くに配される２つの正レンズについて、条件式（９）、（１０）を満足することが、色収差補正上好ましい。
【００６７】
望遠レンズは焦点距離が長いため、波長による焦点距離の差の比率が同じでも色収差が大きく現れやすい。そのため、条件式（９）、（１０）の下限それぞれ７７、６３を下回らないようにして分散を小さくすることが好ましい。一方、条件式（９）、（１０）の上限それぞれ９０、８０を上回らないようにして、異常分散性が大きくなりすぎることを抑え、2 次スペクトルの発生を抑えやすくすることが好ましい。
【００６８】
また、第３レンズ群を、物体側より順に、正の屈折力を持つ前群と、正又は負の屈折力を持つ後群とで構成し、以下の条件式を満足することがより好ましい。
【００６９】
０．０５＜ｄ3w／ｆt ＜０．２                                ・・・（１１）
−０．７＜ｆt ／ｆ3r＜０．７                                ・・・（１２）
ただし、ｄ3wは広角端における第３レンズ群の前群と後群との間の軸上間隔、
ｆ3rは第３レンズ群の後群の焦点距離、
である。
【００７０】
第３レンズ群の前群は開口絞りに近い位置にあるため、屈折力を確保し結像作用を持たせることで、変倍時の収差変動を抑えやすくなる。
【００７１】
このとき、条件式（１１）、（１２）を満足することが好ましい。
【００７２】
条件式（１１）を満足する前群と後群との軸上間隔を保ち、条件式（１２）満足する弱いパワーの後群を配置することで、全体の全長を短縮化しつつ軸外性能の向上を図ることに有利となる。なお、前群と後群との間の軸上間隔は、広角端から望遠端への変倍の際に変化するように構成することも、本発明の範囲内である。
【００７３】
条件式（１１）の下限の０．０５を下回らないようにすることで、後群における軸上光束と軸外光束の分離を行いやすくなり、軸外性能の補正機能の確保に有利となる。
【００７４】
条件式（１１）の上限の０．２を上回らないようにすることで、第３レンズ群の全長の大型化を抑えることに有利となる。また、広角端付近での各レンズ群のパワーバランスもとりやすくなる。
【００７５】
条件式（１２）の上限の０．７、下限の−０．７の範囲内とすることで、後群によるパワーを小さくし、後群のレンズを軽量化することが好ましい。
【００７６】
さらには、以下の条件式を満足することが好ましい。
【００７７】
０．１＜｜ｆt ／ｆ3r｜                                    ・・・（１２Ａ）
条件式（１２Ａ）の下限の０．１を下回らないようにすることで、後群での収差補正機能を確保しやすくすることが好ましい。
【００７８】
また、さらには、以下の条件式を満足することが好ましい。
【００７９】
０＜ｆt ／ｆ3r＜０．１３                                ・・・（１２−１）
条件式（１２−１）の下限の０を下回らないようにして後群の屈折力を正とすることで、射出瞳を像面から遠くしやすく構成できる。
【００８０】
条件式（１２−１）の上限の０．１３を上回らないようにすることで、後群の軽量化に有利となる。
【００８１】
また、遠距離物から近距離物への合焦動作を、第２レンズ群の移動により行うことがより好ましい。
【００８２】
このように第２レンズ群をフォーカシング群とすることで、フォーカシング群の径を小さくでき、移動量を小さくでき、スペース効率も高くできる。
【００８３】
また、本発明のズームレンズは、広角端の全画角が２５°から３５°で変倍比が３倍から５倍のズームレンズとすることがより好ましい。
【発明の効果】
【００８４】
以上の本発明は、レンズ群の移動方式、第１レンズ群の工夫等により、携帯時でのズームレンズ全長を抑えながら、変倍比の確保、光学性能の確保にも有利なズームレンズを提供することができる。
【００８５】
さらには、各レンズ群の工夫等により、光学性能も良好にしやすく、小型化、高変倍比化等何れかに有利なズームレンズを提供することができる。
【発明を実施するための最良の形態】
【００８６】
以下、本発明のズームレンズの実施例１〜５について説明する。実施例１〜５の無限遠物点合焦時の広角端（ａ）、中間状態（ｂ）、望遠端（ｃ）のレンズ断面図をそれぞれ図１〜図５に示す。図中、第１レンズ群はＧ１、第２レンズ群はＧ２、開口絞りはＳ、第３レンズ群はＧ３、各種フィルター類等（ローパスフィルター、赤外カットフィルター、防塵用振動フィルター、ＣＣＤカバーガラス等）を１つの平行平板であらわしたものはＦ、像面（電子撮像素子の受光面）はＩで示してある。
【００８７】
実施例１のズームレンズは、図１に示すように、物体側から順に、正屈折力の第１レンズ群Ｇ１、負屈折力の第２レンズ群Ｇ２、開口絞りＳ、正屈折力の第３レンズ群Ｇ３から構成されており、広角端から望遠端への変倍をする際に、第１レンズ群Ｇ１は一体で物体側へ移動し、第２レンズ群Ｇ２は一体で第１レンズ群Ｇ１との間隔を広げながら物体側に凹の軌跡を描いて移動し、望遠端では広角端の位置より物体側に位置する。開口絞りＳと第３レンズ群Ｇ３は一体に第２レンズ群Ｇ２との間隔を縮めながら物体側に移動する。
【００８８】
物体側から順に、第１レンズ群Ｇ１は、両凸正レンズと物体側に凹面を向けた負メニスカスレンズとの接合レンズからなり、第２レンズ群Ｇ２は、物体側に凸面を向けた負メニスカスレンズと、両凹負レンズと物体側に凸面を向けた正メニスカスレンズとの接合レンズと、像側に凸面を向けた負メニスカスレンズからなり、第３レンズ群Ｇ３は、両凸正レンズと、両凸正レンズと物体側に凹面を向けた負メニスカスレンズとの接合レンズからなる前群と、像側に凸面を向けた正メニスカスレンズと、両凸正レンズと、像側に凸面を向けた負メニスカスレンズからなる後群とからなる。
【００８９】
遠距離物体から近距離物体へのフォーカシングは、第２レンズ群Ｇ２を物体側へ移動することで行う。
【００９０】
実施例２のズームレンズは、図２に示すように、物体側から順に、正屈折力の第１レンズ群Ｇ１、負屈折力の第２レンズ群Ｇ２、開口絞りＳ、正屈折力の第３レンズ群Ｇ３から構成されており、広角端から望遠端への変倍をする際に、第１レンズ群Ｇ１は一体で物体側へ移動し、第２レンズ群Ｇ２は一体で第１レンズ群Ｇ１との間隔を広げながら物体側に凹の軌跡を描いて移動し、望遠端では広角端の位置より物体側に位置する。開口絞りＳと第３レンズ群Ｇ３は一体に第２レンズ群Ｇ２との間隔を縮めながら物体側に移動する。
【００９１】
物体側から順に、第１レンズ群Ｇ１は、両凸正レンズと物体側に凹面を向けた負メニスカスレンズとの接合レンズからなり、第２レンズ群Ｇ２は、物体側に凸面を向けた負メニスカスレンズと、両凹負レンズと物体側に凸面を向けた正メニスカスレンズとの接合レンズと、像側に凸面を向けた負メニスカスレンズからなり、第３レンズ群Ｇ３は、両凸正レンズと、両凸正レンズと物体側に凹面を向けた負メニスカスレンズとの接合レンズからなる前群と、像側に凸面を向けた正メニスカスレンズと、両凸正レンズと、像側に凸面を向けた負メニスカスレンズからなる後群とからなる。
【００９２】
実施例３のズームレンズは、図３に示すように、物体側から順に、正屈折力の第１レンズ群Ｇ１、負屈折力の第２レンズ群Ｇ２、開口絞りＳ、正屈折力の第３レンズ群Ｇ３から構成されており、広角端から望遠端への変倍をする際に、第１レンズ群Ｇ１は一体で物体側へ移動し、第２レンズ群Ｇ２は一体で第１レンズ群Ｇ１との間隔を広げながら物体側に凹の軌跡を描いて移動し、望遠端では広角端の位置より物体側に位置する。開口絞りＳと第３レンズ群Ｇ３は一体に第２レンズ群Ｇ２との間隔を縮めながら物体側に移動する。
【００９３】
物体側から順に、第１レンズ群Ｇ１は、両凸正レンズと物体側に凹面を向けた負メニスカスレンズとの接合レンズからなり、第２レンズ群Ｇ２は、物体側に凸面を向けた負メニスカスレンズと、両凹負レンズと物体側に凸面を向けた正メニスカスレンズとの接合レンズと、像側に凸面を向けた負メニスカスレンズからなり、第３レンズ群Ｇ３は、両凸正レンズと、両凸正レンズと物体側に凹面を向けた負メニスカスレンズとの接合レンズからなる前群と、像側に凸面を向けた正メニスカスレンズと、両凸正レンズと、像側に凸面を向けた負メニスカスレンズからなる後群とからなる。
【００９４】
実施例４のズームレンズは、図４に示すように、物体側から順に、正屈折力の第１レンズ群Ｇ１、負屈折力の第２レンズ群Ｇ２、開口絞りＳ、正屈折力の第３レンズ群Ｇ３から構成されており、広角端から望遠端への変倍をする際に、第１レンズ群Ｇ１は一体で物体側へ移動し、第２レンズ群Ｇ２は一体で第１レンズ群Ｇ１との間隔を広げながら物体側に凹の軌跡を描いて移動し、望遠端では広角端の位置より若干物体側に位置する。開口絞りＳは第２レンズ群Ｇ２との間隔を縮めながら物体側に移動する。第３レンズ群Ｇ３は開口絞りＳとの間隔を縮めながら物体側に移動する。
【００９５】
物体側から順に、第１レンズ群Ｇ１は、両凸正レンズと、両凹負レンズからなり、第２レンズ群Ｇ２は、物体側に凸面を向けた負メニスカスレンズと、物体側に凸面を向けた負メニスカスレンズと物体側に凸面を向けた正メニスカスレンズとの接合レンズと、両凹負レンズからなり、第３レンズ群Ｇ３は、両凸正レンズと、両凸正レンズと物体側に凹面を向けた負メニスカスレンズとの接合レンズからなる前群と、両凸正レンズと、物体側に凸面を向けた正メニスカスレンズと、両凹負レンズからなる後群とからなる。
【００９６】
実施例５のズームレンズは、図５に示すように、物体側から順に、正屈折力の第１レンズ群Ｇ１、負屈折力の第２レンズ群Ｇ２、開口絞りＳ、正屈折力の第３レンズ群Ｇ３から構成されており、広角端から望遠端への変倍をする際に、第１レンズ群Ｇ１は一体で物体側へ移動し、第２レンズ群Ｇ２は一体で第１レンズ群Ｇ１との間隔を広げながら物体側に凹の軌跡を描いて移動し、望遠端では広角端の位置より若干物体側に位置する。開口絞りＳは第２レンズ群Ｇ２との間隔を縮めながら物体側に移動する。第３レンズ群Ｇ３は開口絞りＳとの間隔を縮めながら物体側に移動する。
【００９７】
物体側から順に、第１レンズ群Ｇ１は、両凸正レンズと、両凹負レンズからなり、第２レンズ群Ｇ２は、物体側に凸面を向けた負メニスカスレンズと、物体側に凸面を向けた負メニスカスレンズと物体側に凸面を向けた正メニスカスレンズとの接合レンズと、両凹負レンズからなり、第３レンズ群Ｇ３は、両凸正レンズと、両凸正レンズと物体側に凹面を向けた負メニスカスレンズとの接合レンズからなる前群と、両凸正レンズと、物体側に凸面を向けた正メニスカスレンズと、両凹負レンズからなる後群とからなる。
【００９８】
以下に、上記各実施例の数値データを示すが、記号は上記の外、ｆは全系焦点距離、ＦNOはＦナンバー、２ωは画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。また、ＯＤは像面から測った被写体距離である。
【００９９】
実施例１
ｒ1 =    86.481             ｄ1 =  4.99     ｎd1 =1.6031  νd1 =60.6
ｒ2 =  -108.395             ｄ2 =  2.10     ｎd2 =1.8467  νd2 =23.8
ｒ3 =  -259.407             ｄ3 = （可変）  
ｒ4 =    35.302             ｄ4 =  1.29     ｎd3 =1.8052  νd3 =25.4
ｒ5 =    19.524             ｄ5 =  4.38     
ｒ6 =   -56.707             ｄ6 =  1.01     ｎd4 =1.5168  νd4 =64.2
ｒ7 =    20.158             ｄ7 =  2.76     ｎd5 =1.8467  νd5 =23.8
ｒ8 =   226.009             ｄ8 =  1.27     
ｒ9 =   -26.371             ｄ9 =  1.00     ｎd6 =1.7725  νd6 =49.6
ｒ10=  -229.620             ｄ10= （可変）  
ｒ11=     ∞（絞り）        ｄ11=  1.20     
ｒ12=    69.845             ｄ12=  3.44     ｎd7 =1.4875  νd7 =70.2
ｒ13=   -34.904             ｄ13=  0.15     
ｒ14=    24.185             ｄ14=  4.99     ｎd8 =1.4970  νd8 =81.5
ｒ15=   -24.185             ｄ15=  1.18     ｎd9 =1.8010  νd9 =35.0
ｒ16=  -482.892             ｄ16= 13.90     
ｒ17=   -41.202             ｄ17=  2.01     ｎd10=1.5750  νd10=41.5
ｒ18=   -22.237             ｄ18=  0.30     
ｒ19=    97.144             ｄ19=  1.84     ｎd11=1.5168  νd11=64.2
ｒ20=   -97.144             ｄ20=  6.83     
ｒ21=   -16.722             ｄ21=  0.94     ｎd12=1.7725  νd12=49.6
ｒ22=   -40.266             ｄ22= （可変）  
ｒ23=     ∞                ｄ23=  4.63     ｎd13=1.5163  νd13=64.1
ｒ24=     ∞                ｄ24=  2.50     
ｒ25=     ∞（像面）        
ズームデータ（ＯＤ＝∞）
ＷＥ            ＳＴ            ＴＥ
ｆ (mm)            40.9            77.5           146.7 
ＦNO                4.1             4.8             5.8 
２ω（°）         30.5            16.4             8.7 
ｄ3                 2.31           37.66           48.35
ｄ10               17.47           10.74            2.10
ｄ22               28.43           33.81           54.53
（ＯＤ＝900mm ）
ｄ3                 1.00           34.33           43.37
ｄ10               18.77           14.07            7.07
ｄ22               28.43           33.81           54.53                    。
【０１００】
実施例２
ｒ1 =    86.036             ｄ1 =  5.28     ｎd1 =1.6031  νd1 =60.6
ｒ2 =  -102.465             ｄ2 =  2.10     ｎd2 =1.8467  νd2 =23.8
ｒ3 =  -248.790             ｄ3 = （可変）  
ｒ4 =    22.968             ｄ4 =  1.09     ｎd3 =1.8467  νd3 =23.8
ｒ5 =    16.162             ｄ5 =  5.69     
ｒ6 =   -53.640             ｄ6 =  1.25     ｎd4 =1.4875  νd4 =70.2
ｒ7 =    17.706             ｄ7 =  2.55     ｎd5 =1.8467  νd5 =23.8
ｒ8 =    71.411             ｄ8 =  1.40     
ｒ9 =   -29.601             ｄ9 =  1.10     ｎd6 =1.7725  νd6 =49.6
ｒ10= -1996.707             ｄ10= （可変）  
ｒ11=     ∞（絞り）        ｄ11=  1.20     
ｒ12=    56.884             ｄ12=  3.40     ｎd7 =1.4970  νd7 =81.5
ｒ13=   -37.250             ｄ13=  0.15     
ｒ14=    27.088             ｄ14=  4.81     ｎd8 =1.4875  νd8 =70.2
ｒ15=   -22.581             ｄ15=  1.17     ｎd9 =1.9037  νd9 =31.3
ｒ16=  -128.399             ｄ16= 12.75     
ｒ17=   -44.665             ｄ17=  2.09     ｎd10=1.5182  νd10=58.9
ｒ18=   -23.113             ｄ18=  0.20     
ｒ19=   485.119             ｄ19=  1.79     ｎd11=1.7618  νd11=26.5
ｒ20=   -55.909             ｄ20=  8.44     
ｒ21=   -17.929             ｄ21=  0.88     ｎd12=1.9037  νd12=31.3
ｒ22=   -42.416             ｄ22= （可変）  
ｒ23=     ∞                ｄ23=  4.63     ｎd13=1.5163  νd13=64.1
ｒ24=     ∞                ｄ24=  2.38     
ｒ25=     ∞（像面）        
ズームデータ（ＯＤ＝∞）
ＷＥ            ＳＴ            ＴＥ
ｆ (mm)            40.8            77.5           146.7 
ＦNO                4.1             4.8             5.8 
２ω（°）         30.6            16.4             8.7 
ｄ3                 2.34           35.87           46.81
ｄ10               17.36           10.50            2.10
ｄ22               28.68           34.69           55.22                    。
【０１０１】
実施例３
ｒ1 =    86.435             ｄ1 =  4.99     ｎd1 =1.6031  νd1 =60.6
ｒ2 =  -108.218             ｄ2 =  2.10     ｎd2 =1.8467  νd2 =23.8
ｒ3 =  -258.821             ｄ3 = （可変）  
ｒ4 =    35.358             ｄ4 =  1.29     ｎd3 =1.8052  νd3 =25.4
ｒ5 =    19.530             ｄ5 =  4.36     
ｒ6 =   -56.727             ｄ6 =  1.01     ｎd4 =1.5168  νd4 =64.2
ｒ7 =    20.161             ｄ7 =  2.76     ｎd5 =1.8467  νd5 =23.8
ｒ8 =   227.061             ｄ8 =  1.27     
ｒ9 =   -26.367             ｄ9 =  1.00     ｎd6 =1.7725  νd6 =49.6
ｒ10=  -231.956             ｄ10= （可変）  
ｒ11=     ∞（絞り）        ｄ11=  1.20     
ｒ12=    69.809             ｄ12=  3.46     ｎd7 =1.4875  νd7 =70.2
ｒ13=   -34.889             ｄ13=  0.15     
ｒ14=    24.145             ｄ14=  5.02     ｎd8 =1.4970  νd8 =81.5
ｒ15=   -24.145             ｄ15=  1.18     ｎd9 =1.8010  νd9 =35.0
ｒ16=  -481.556             ｄ16= 13.78     
ｒ17=   -41.103             ｄ17=  2.08     ｎd10=1.5750  νd10=41.5
ｒ18=   -22.222             ｄ18=  0.30     
ｒ19=    97.372             ｄ19=  1.83     ｎd11=1.5168  νd11=64.2
ｒ20=   -97.372             ｄ20=  6.85     
ｒ21=   -16.713             ｄ21=  0.94     ｎd12=1.7725  νd12=49.6
ｒ22=   -40.204             ｄ22= （可変）  
ｒ23=     ∞                ｄ23=  4.63     ｎd13=1.5163  νd13=64.1
ｒ24=     ∞                ｄ24=  2.42     
ｒ25=     ∞（像面）        
ズームデータ（ＯＤ＝∞）
ＷＥ            ＳＴ            ＴＥ
ｆ (mm)            40.9            77.5           146.8 
ＦNO                4.1             4.8             5.8 
２ω（°）         30.5            16.4             8.7 
ｄ3                 2.30           37.54           48.16
ｄ10               17.45           10.72            2.10
ｄ22               28.60           34.03           54.94                    。
【０１０２】
実施例４
ｒ1 =    72.974             ｄ1 =  3.42     ｎd1 =1.6031  νd1 =60.6
ｒ2 =  -221.186             ｄ2 =  0.45     
ｒ3 =  -363.380             ｄ3 =  1.80     ｎd2 =1.8052  νd2 =25.4
ｒ4 =   314.708             ｄ4 = （可変）  
ｒ5 =   105.397             ｄ5 =  1.41     ｎd3 =1.6712  νd3 =57.6
ｒ6 =    26.011             ｄ6 =  3.92     
ｒ7 =    30.744             ｄ7 =  0.98     ｎd4 =1.5315  νd4 =66.2
ｒ8 =    16.748             ｄ8 =  2.82     ｎd5 =1.6869  νd5 =30.2
ｒ9 =    54.583             ｄ9 =  1.48     
ｒ10=   -38.745             ｄ10=  1.06     ｎd6 =1.7725  νd6 =49.6
ｒ11=   136.360             ｄ11= （可変）  
ｒ12=     ∞（絞り）        ｄ12= （可変）  
ｒ13=    84.870             ｄ13=  2.33     ｎd7 =1.4875  νd7 =70.2
ｒ14=   -47.027             ｄ14=  0.15     
ｒ15=    23.439             ｄ15=  4.17     ｎd8 =1.4970  νd8 =81.5
ｒ16=   -30.846             ｄ16=  1.14     ｎd9 =1.9167  νd9 =25.4
ｒ17=  -204.810             ｄ17= 10.66     
ｒ18=   167.137             ｄ18=  2.53     ｎd10=1.8628  νd10=21.9
ｒ19=   -37.473             ｄ19=  0.28     
ｒ20=    26.074             ｄ20=  2.40     ｎd11=1.6988  νd11=48.9
ｒ21=   110.272             ｄ21=  1.73     
ｒ22=   -35.799             ｄ22=  0.96     ｎd12=1.9037  νd12=31.3
ｒ23=    23.352             ｄ23= （可変）  
ｒ24=     ∞                ｄ24=  4.63     ｎd13=1.5163  νd13=64.1
ｒ25=     ∞                ｄ25=  2.42     
ｒ26=     ∞（像面）        
ズームデータ（ＯＤ＝∞）
ＷＥ            ＳＴ            ＴＥ
ｆ (mm)            40.8            77.5           147.9 
ＦNO                4.1             4.8             5.8 
２ω（°）         30.4            16.4             8.6 
ｄ4                 4.95           41.70           56.43
ｄ11               12.97            4.86            1.61
ｄ12               13.70           10.54            1.50
ｄ23               29.92           36.76           54.29                    。
【０１０３】
実施例５
ｒ1 =    61.767             ｄ1 =  4.98     ｎd1 =1.6031  νd1 =60.6
ｒ2 =  -364.922             ｄ2 =  0.43     
ｒ3 =  -669.033             ｄ3 =  1.80     ｎd2 =1.8052  νd2 =25.4
ｒ4 =   218.268             ｄ4 = （可変）  
ｒ5 =    88.770             ｄ5 =  1.40     ｎd3 =1.6968  νd3 =55.5
ｒ6 =    21.437             ｄ6 =  3.92     
ｒ7 =    28.845             ｄ7 =  0.98     ｎd4 =1.5168  νd4 =64.2
ｒ8 =    15.324             ｄ8 =  3.12     ｎd5 =1.6889  νd5 =31.1
ｒ9 =    54.554             ｄ9 =  1.54     
ｒ10=   -36.674             ｄ10=  1.06     ｎd6 =1.7725  νd6 =49.6
ｒ11=   173.739             ｄ11= （可変）  
ｒ12=     ∞（絞り）        ｄ12= （可変）  
ｒ13=    67.230             ｄ13=  2.34     ｎd7 =1.4875  νd7 =70.2
ｒ14=   -54.210             ｄ14=  0.15     
ｒ15=    26.095             ｄ15=  4.14     ｎd8 =1.4970  νd8 =81.5
ｒ16=   -31.627             ｄ16=  1.14     ｎd9 =1.8467  νd9 =23.8
ｒ17=  -147.476             ｄ17= 12.63     
ｒ18=   102.030             ｄ18=  2.30     ｎd10=1.8467  νd10=23.8
ｒ19=   -42.159             ｄ19=  0.25     
ｒ20=    28.758             ｄ20=  2.08     ｎd11=1.7015  νd11=41.2
ｒ21=   101.079             ｄ21=  1.72     
ｒ22=   -34.535             ｄ22=  0.96     ｎd12=1.9037  νd12=31.3
ｒ23=    27.307             ｄ23= （可変）  
ｒ24=     ∞                ｄ24=  4.63     ｎd13=1.5163  νd13=64.1
ｒ25=     ∞                ｄ25=  2.42     
ｒ26=     ∞（像面）        
ズームデータ（ＯＤ＝∞）
ＷＥ            ＳＴ            ＴＥ
ｆ (mm)            40.8            77.5           147.9 
ＦNO                4.1             4.8             5.6 
２ω（°）         30.4            16.4             8.6 
ｄ4                 3.60           43.92           54.41
ｄ11               13.10            4.12            1.48
ｄ12               11.22           10.85            1.50
ｄ23               29.60           34.19           53.33                    。
【０１０４】
以上の実施例１〜５の無限遠物点合焦時の収差図をそれぞれ図６〜図１０に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。また、図１１〜図１５はぞれぞれ実施例１〜５の無限遠物点合焦時の広角端（ａ）、中間状態（ｂ）、望遠端（ｃ）での横収差図を示す。各図中、×０．４、×０．７、×０．９、×１．０は最大像高に対する像高の倍率を示し、その像高での横収差を示す。
【０１０５】
次に、上記各実施例における条件式（１）〜（１２）に関する値を示す。
【０１０６】
条件式                      実施例１  実施例２  実施例３  実施例４  実施例５
（１）          ｆ1 ／ｆt     0.857     0.853     0.856     1.073     1.011 
（２）          ｍ1 ／ｆt     0.387     0.380     0.380     0.360     0.360 
（３）、（５）  Δｎ1         0.244     0.244     0.244     0.202     0.202 
（４）          Δν1        36.8      36.8      36.8      35.2      35.2 
（６）          ｍ2 ／ｆt     0.073     0.077     0.075     0.005     0.016 
（７）          ｍ3          26.1      26.6      26.3      24.4      23.7 
１．５×ｍ2  16.1      17.1      16.5       1.2       3.6 
０．６×ｍ1  34.1      33.5      34.1      32.0      31.9 
（８）          ｒ2Gf ／ｄt1  0.730     0.491     0.734     1.868     1.632 
（９）          νpmax       81.500    81.500    81.500    81.500    81.500 
（１０）          νpmin       70.200    70.200    70.200    70.200    70.200 
（１１）          ｄ3w／ｆt     0.095     0.087     0.094     0.072     0.085 
（１２）          ｆt ／ｆ3r    0.093     0.573     0.090    -0.514    -0.532 
。
【０１０７】
上記各実施例は、広角端の半画角が１５°程度で、変倍率が３倍から４倍程度の比較的望遠側で使用する一眼レフカメラ用のズームレンズに適するものである。
【０１０８】
特に電子撮像素子を用いた一眼レフカメラにおけるズームレンズを小型化しやすいという特徴を大きく活かした、携帯時に小型化しやすくかつ性能が良好なズームレンズとなっている。
【０１０９】
図１６は、本発明のズームレンズを用い、撮像素子として小型のＣＣＤ又はＣＭＯＳ等を用いた電子撮像装置としての一眼レフレックスカメラの断面図である。図１６において、１は一眼レフレックスカメラ（一眼レフカメラ）、２はズーム機構と合焦機構を備えた鏡筒内に配置された撮影レンズ系、３は撮影レンズ系２を一眼レフレックスカメラ１に着脱可能とする鏡筒のマウント部であり、スクリュータイプのマウントやバヨネットタイプのマウント等が用いられる。この例では、バヨネットタイプのマウントを用いている。
【０１１０】
また、４は撮像素子面、５は撮影レンズ系２の光路６上のレンズ系と撮像素子面４との間に配置されたクイックリターンミラー、７はクイックリターンミラー５より反射された光路に配置されたファインダースクリーン、８はペンタプリズム、９はファインダー、Ｅは観察者の眼（アイポイント）である。
【０１１１】
このような構成の一眼レフレックスカメラ１の撮影レンズ系２として、例えば上記実施例１〜５に示した本発明のズームレンズが用いられる。
【０１１２】
以上の本発明によれば、一眼レフタイプのデジタルカメラに適した交換レンズとして、携帯時でのズームレンズ全長を抑えながら、変倍比の確保、光学性能の確保にも有利なズームレンズを実現することができる。
【図面の簡単な説明】
【０１１３】
【図１】本発明のズームレンズの実施例１の広角端（ａ）、中間状態（ｂ）、望遠端（ｃ）のレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】実施例１の無限遠物点合焦時の収差図である。
【図７】実施例２の無限遠物点合焦時の収差図である。
【図８】実施例３の無限遠物点合焦時の収差図である。
【図９】実施例４の無限遠物点合焦時の収差図である。
【図１０】実施例５の無限遠物点合焦時の収差図である。
【図１１】実施例１の無限遠物点合焦時の横収差図である。
【図１２】実施例２の無限遠物点合焦時の横収差図である。
【図１３】実施例３の無限遠物点合焦時の横収差図である。
【図１４】実施例４の無限遠物点合焦時の横収差図である。
【図１５】実施例５の無限遠物点合焦時の横収差図である。
【図１６】本発明のズームレンズを交換レンズとして用いた一眼レフレックスカメラの断面図である。
【符号の説明】
【０１１４】
Ｇ１…第１レンズ群
Ｇ２…第２レンズ群
Ｇ３…第３レンズ群
Ｓ…開口絞り
Ｆ…平行平板（各種フィルター類等）
Ｉ…像面
Ｅ…観察者の眼（アイポイント）
１…一眼レフレックスカメラ
２…撮影レンズ系
３…マウント部
４…撮像素子面
５…クイックリターンミラー
６…光路
７…ファインダースクリーン
８…ペンタプリズム
９…ファインダー
【図１】
2008070410.tif 000003
【図２】
2008070410.tif 000004
【図３】
2008070410.tif 000005
【図４】
2008070410.tif 000006
【図５】
2008070410.tif 000007
【図６】
2008070410.tif 000008
【図７】
2008070410.tif 000009
【図８】
2008070410.tif 000010
【図９】
2008070410.tif 000011
【図１０】
2008070410.tif 000012
【図１１】
2008070410.tif 000013
【図１２】
2008070410.tif 000014
【図１３】
2008070410.tif 000015
【図１４】
2008070410.tif 000016
【図１５】
2008070410.tif 000017
【図１６】
2008070410.tif 000018